(57)【要約】【課題】プリズムを含むレンズ鏡胴において、光学特性検査を容易に行えるようにする。【解決手段】プリズム８０、プリズムの後方に配列される可動レンズ群３０，４０を含むレンズ光学系、レンズ光学系の光軸方向に伸長すると共にプリズム及びレンズ光学系を収容する筐体１０、可動レンズ群を光軸方向に駆動する駆動機構９０とを備えたレンズ鏡胴において、プリズム８０は筐体１０に対して着脱自在に収容され、筐体１０は、プリズムを収容する前の状態でレンズ光学系の光軸方向Ｌ２に開口するように形成されている。これによれば、汎用の検査装置を用いて光学特性を容易に検査することができ、専用の検査装置が不要になり、又、生産ライン等において専用の検査装置を設置するスペースが不要になり、設備及び管理費用等の低減等を達成することができる。【選択図】図５
2010020192.tif 000002
【特許請求の範囲】
【請求項１】
プリズムと、前記プリズムの後方に配列される可動レンズ群を含むレンズ光学系と、前記レンズ光学系の光軸方向に伸長すると共に前記プリズム及びレンズ光学系を収容する筐体と、前記複数の可動レンズ群をそれぞれ光軸方向に駆動する駆動機構とを備えたレンズ鏡胴であって、
前記プリズムは、前記筐体に対して着脱自在に収容され、
前記筐体は、前記プリズムを収容する前の状態で、前記レンズ光学系の光軸方向に開口するように形成されている、
ことを特徴とするレンズ鏡胴。
【請求項２】
前記筐体は、前記プリズムを嵌め込んで収容する収容部と、前記収容部に嵌め込まれた前記プリズムを押圧して固定するべく着脱自在な押えカバーとを含む、
ことを特徴とする請求項１に記載のレンズ鏡胴。
【請求項３】
前記筐体は、前記プリズムに入射する入射光の光軸方向及び前記レンズ光学系の光軸方向において、前記プリズムの位置決めを行う位置決め部を含む、
ことを特徴とする請求項２に記載のレンズ鏡胴。
【請求項４】
前記筐体は、前記収容部を画定するべく略三角形状に延出する一対の延出壁部を含み、
前記押えカバーは、前記一対の延出壁部に組み付けられた状態で、前記プリズムに入射する入射光の入射窓を画定するように形成されている、
ことを特徴とする請求項２又は３に記載のレンズ鏡胴。
【請求項５】
前記押えカバーは、スナップフィット結合により、前記筐体に組み付けられている、
ことを特徴とする請求項２ないし４いずれか一つに記載のレンズ鏡胴。
【発明の詳細な説明】
【技術分野】
【０００１】
本発明は、携帯電話機等に搭載される小型のデジタルカメラ（モバイルカメラ）に適用されるレンズ鏡胴に関し、特に、被写体光を屈曲させて後方のレンズ群に導くプリズムを備えたレンズ鏡胴に関する。
【背景技術】
【０００２】
従来のレンズ鏡胴（デジタルカメラ）としては、対物レンズ，対物レンズを通過した被写体光を９０度屈曲させるプリズム，プリズムの後方に配列された複数のレンズ群からなるレンズ光学系と、レンズ光学系が収容される第１筐体及び第２筐体と、第２筐体に取り付けられた撮像素子と、レンズ光学系に含まれる複数の可動レンズ群を光軸方向に往復動自在にガイドするべく第１筐体及び第２筐体に嵌合された複数のガイドシャフトと、第１筐体又は第２筐体に配置された複数の駆動機構等を備えたものが知られている（例えば、特許文献１参照）。
【０００３】
しかしながら、このレンズ鏡胴においては、第１筐体及び第２筐体にそれぞれガイドシャフト及びレンズ枠を組込んだ後に第１筐体と第２筐体を連結しているため、複数のレンズ群（レンズ）同士の光軸合わせ（軸芯合わせ）が困難であり、又、複数の駆動機構はお互いが離れた位置において筐体の内部に配置（固定）されているため、小型化、薄型化が困難であった。
一方、複数のレンズ群からなるレンズ光学系は、一般的に一直線上に配列されたものが殆どであり、それらの光学特性を検査する場合は、一直線をなす光軸方向上に汎用の検査装置を設置して所定の光学検査が行われている。
しかしながら、上記のように、筐体内にプリズムが固定されたレンズ鏡胴において、製造過程で光学特性を検査する場合は、９０度屈曲した光路（光軸）上での検査が可能な専用の検査装置が必要であり、設備費用が増加し、検査用の専用スペースを確保する必要があった。
【０００４】
【特許文献１】特開２００７−２７１６４９号公報
【発明の開示】
【発明が解決しようとする課題】
【０００５】
本発明は、上記の事情に鑑みて成されたものであり、その目的とするところは、構造の簡素化、部品の集約化による小型化、組付け作業性の向上、組付け精度の向上、レンズの光軸合わせの高精度化、設備及び管理費用等の低減等を図りつつ、汎用の検査装置でレンズ光学系の光学特性を検査できるレンズ鏡胴を提供することにある。
【課題を解決するための手段】
【０００６】
本発明のレンズ鏡胴は、プリズムと、プリズムの後方に配列される可動レンズ群を含むレンズ光学系と、レンズ光学系の光軸方向に伸長すると共にプリズム及びレンズ光学系を収容する筐体と、複数の可動レンズ群をそれぞれ光軸方向に駆動する駆動機構とを備えたレンズ鏡胴であって、上記プリズムは筐体に対して着脱自在に収容され、上記筐体は、プリズムを収容する前の状態で、レンズ光学系の光軸方向に開口するように形成されている、ことを特徴としている。
この構成によれば、プリズムが筐体に対して着脱自在となっているため、製造過程等においてレンズ光学系の光学特性を検査する場合は、筐体にレンズ光学系が組み込まれかつプリズムが組み込まれる前の状態で、又、組み付けたプリズムを再び取り外した状態で、汎用の検査装置を用いて光学特性を容易に検査することができる。したがって、専用の検査装置が不要になり、又、生産ライン等において専用の検査装置を設置するスペースが不要になり、設備及び管理費用等の低減等を達成することができる。
【０００７】
上記構成において、筐体は、プリズムを嵌め込んで収容する収容部と、収容部に嵌め込まれたプリズムを押圧して固定するべく着脱自在な押えカバーとを含む、構成を採用することができる。
この構成によれば、プリズムを組み付ける際には、プリズムを筐体の収容部に嵌め込み、その外側からプリズムを押えるようにして押えカバーを結合するだけで、容易に組み付けを行うことができる。すなわち、構造の簡素化、小型化、組付け作業性を向上させることができる。
【０００８】
上記構成において、筐体は、プリズムに入射する入射光の光軸方向及びレンズ光学系の光軸方向において、プリズムの位置決めを行う位置決め部を含む、構成を採用することができる。
この構成によれば、筐体の位置決め部にプリズムを当接させるだけで、筐体の所定位置に高精度に組み付けることができ、組付け作業性の向上、組付け精度の向上、レンズ光学系との光軸合わせの高精度化等を達成することができる。
【０００９】
上記構成において、筐体は、収容部を画定するべく略三角形状に延出する一対の延出壁部を含み、押えカバーは、一対の延出壁部に組み付けられた状態で、プリズムに入射する入射光の入射窓を画定するように形成されている、構成を採用することができる。
この構成によれば、プリズムを一対の延出壁部に挟み込まれるように嵌め込んだ状態で、押えカバーを一対の延出壁部に結合することにより、プリズムを筐体に容易に組み付けることができる。また、押えカバーを一対の延出壁部に組み付けることで入射窓が画定されるため、予め入射窓が画定された構造に比べて、プリズムの着脱を容易に行うことができる。
【００１０】
上記構成において、押えカバーは、スナップフィット結合により、筐体に組み付けられている、構成を採用することができる。
この構成によれば、押えカバーが弾性変形を利用したスナップフィット結合により筐体に組み付けられるため、ネジ等を用いて締結する場合に比べて、構造の簡素化、部品点数の削減等を達成しつつ、着脱作業を容易に行うことができる。
【発明の効果】
【００１１】
上記構成をなすレンズ鏡胴によれば、構造の簡素化、部品の集約化による小型化、組付け作業性の向上、組付け精度の向上、レンズの光軸合わせの高精度化、設備及び管理費用等の低減等を達成しつつ、汎用の検査装置でレンズ光学系の光学特性を検査できるレンズ鏡胴を得ることができる。
【発明を実施するための最良の形態】
【００１２】
以下、本発明の最良の実施形態について、添付図面を参照しつつ説明する。
図１ないし図１６は、本発明に係るレンズ鏡胴の一実施形態を示すものであり、図１はレンズ鏡胴が携帯電話機Ｐに搭載された状態を示す斜視図、図２はレンズ鏡胴の斜視図、図３はカバーを外した状態でのレンズ鏡胴の斜視図、図４はカバー及び駆動機構を外した状態でのレンズ鏡胴の斜視図、図５はレンズ鏡胴の分解斜視図、図６ないし図８はレンズ鏡胴の筐体を示す斜視図及び端面図、図９及び図１０は押えカバーの斜視図及び正面図、図１１及び図１２は筐体の内部を示す断面図及び平面図、図１３はレンズ鏡胴の光軸を含む面での断面図、図１４は駆動機構を筐体から外した状態を示す斜視図、図１５はプリズム（押えカバー）及びカバーを組み付ける前の状態でのレンズ鏡胴の斜視図、図１６は可動レンズ群の動作を説明する断面図である。
尚、ここでは、レンズ鏡胴Ｍは、図１に示すように、携帯電話機Ｐのモニタを有する蓋体Ｐ１に内蔵されており、被写体光（入射光）の光軸Ｌ１が蓋体Ｐ１の外面に垂直に進入するとプリズムにより直角に屈曲されてレンズ光学系の光軸Ｌ２方向に進み、レンズ鏡胴Ｍの後方側に連結されたＣＣＤ等の撮像素子に入り込むように形成されている。ここでは、光軸Ｌ１及び光軸Ｌ２により全体の屈曲した光軸Ｌが形成されている。
【００１３】
このレンズ鏡胴Ｍは、図２ないし図５に示すように、外輪郭を画定する筐体１０、ガイドシャフト２１，２２及び回転止めガイドシャフト２３、複数の可動レンズ群としての前側可動レンズ群３０及び後側可動レンズ群４０、前側レンズ群３０と後側レンズ群４０を光軸方向Ｌにおいて互いに引き寄せるコイルスプリング５０、固定レンズ群としての前側固定レンズ群６０及び後側固定レンズ群７０、屈曲要素としてのプリズム８０、駆動機構９０、前側可動レンズ群３０の光軸方向Ｌにおける位置を検出する第１位置センサ１０１、後側可動レンズ群４０の光軸方向Ｌにおける位置を検出する第２位置センサ１０２、フレキシブル配線板１１０等を備えている。
ここでは、プリズム８０より屈曲された光軸Ｌ２上において後方に向けて順次に配列された、前側固定レンズ群６０、前側可動レンズ群３０、後側可動レンズ群４０、後側固定レンズ群７０により、レンズ光学系が構成されている。
【００１４】
筐体１０は、図２ないし図８に示すように、樹脂材料を用いて略矩形の断面をなす空洞でかつ光軸方向Ｌ２に伸長するように形成され、光軸方向Ｌ２の前方に位置する前壁１１、光軸方向Ｌ２の後方に位置する後壁１２、光軸方向Ｌ２に垂直な方向に面する側壁１３及び底壁１４、開口部１５，１６、前壁１１から略三角形状に延出する一対の延出側壁１７、開口部１５を覆うべく着脱自在に形成されたカバー１８、プリズム８０を押えるべく着脱自在に形成された押えカバー１９等を備えている。ここでは、図２及び図３に示すように、前壁１１、一対の延出壁部１７、及び押えカバー１９の縁部により、プリズム８０に入射する入射光の入射窓Ｓが画定されている。
【００１５】
また、筐体１０は、図６ないし図８に示すように、光軸方向Ｌ２の前方から前側固定レンズ群６０を挿入して固定し得る前側環状固定部１１ａ、３つの嵌合孔１１ｂ、ネジ穴１１ｃ、位置決め突起１１ｄ、第１位置センサ１０１を取り付ける凹部１１ｅ、駆動機構９０の一部を嵌め込む凹部１１ｆ、光軸方向Ｌ２の後方から後側固定レンズ群７０を挿入して固定し得る後側環状固定部１２ａ、３つの嵌合孔１２ｂ、ネジ穴１２ｃ、位置決め突起１２ｄ、第２位置センサ１０２を取り付ける凹部１２ｅ、駆動機構９０の一部を嵌め込む凹部１２ｆ、凹部１２ｆに連続する略Ｕ字状のフランジ部１２ｇ、ＣＣＤ等の撮像素子を収容する略矩形の凹部１２ｈ、カバー１８を掛止する掛止爪１２ｉ，１３ａ、駆動機構９０を位置決めする位置決め突起１４ａ、ネジＢを通す円孔１４ｂ、ネジ穴１７ａ、押えカバー１９を掛止する４つの掛止爪１７ｂ、プリズム８０を位置決めする位置決め部１７ｃ等を備えている。
【００１６】
３つの嵌合孔１１ｂ及び３つの嵌合孔１２ｂは、図６及び図７に示すように、光軸方向Ｌ２の後方から、ガイドシャフト２１，２２及び回転止めガイドシャフト２３をそれぞれ挿入してそれぞれの両端部を嵌合させる（前端部を嵌合孔１１ｂに嵌合させ、後端部を嵌合孔１２ｂに嵌合させる）ように形成されている。
このように、筐体１０が３つのガイドシャフト２１，２２，２３の両端部を嵌合させて固定するため、光軸Ｌと平行になるように３つのガイドシャフト２１，２２，２３を高精度に組み付けることができ、それ故に、３つのガイドシャフト２１，２２，２３にガイドされる複数の可動レンズ群（前側可動レンズ群３０及び後側可動レンズ群４０のレンズＧの）光軸合わせを高精度に行うことができる。
【００１７】
開口部１５は、図４及び図５に示すように、略矩形に開口するように形成され、前側可動レンズ群３０及び後側可動レンズ群４０を筐体１０内に挿入し又は筐体１０から取り出し得る大きさに形成されている。このように、開口部１５を設けたことにより、前側可動レンズ群３０及び後側可動レンズ群４０を筐体１０内に容易に挿入して組み付けることができ、全体としての組み付け作業性を向上させることができる。
開口部１６は、図４及び図５に示すように、開口部１５と略９０度異なる方向に面する側壁を取り除いて開口部１５と隣接するように略矩形に形成され、筐体１０に外側から近付けられて取り付けられる後述する駆動機構９０の保持プレート９３で覆われるようになっている。このように、開口部１５に加えて開口部１６を設けることで、前側可動レンズ群３０及び後側可動レンズ群４０の組み付け及び取り外しを一層容易に行うことができる。
【００１８】
一対の延出壁部１７は、図６ないし図８に示すように、前壁１１から略三角形状に光軸方向Ｌ２に平行に延出するように形成され、プリズム８０を嵌め込んで収容する収容部を画定し、又、プリズム８０を収容する前の状態でレンズ光学系の光軸方向Ｌ２前方に開口するように形成されている。
掛止爪１７ｂは、図６ないし図８に示すように、一対の延出壁部１７の外側面において傾斜して突出するように形成されている。
位置決め部１７ｃは、図８に示すように、筐体１０の前壁１１と一対の延出壁部１７の領域において、プリズム８０を光軸方向Ｌ１、光軸方向Ｌ２、光軸Ｌ１，Ｌ２に垂直な方向に位置決めし得るように複数の突条として形成されている。
このように、筐体１０に位置決め部１７ｃを設けたことにより、プリズム８０を嵌め込んで当接させるだけで、筐体１０の所定位置に高精度に組み付けることができ、組付け作業性の向上、組付け精度の向上、レンズ光学系との光軸合わせの高精度化等を達成することができる。
【００１９】
カバー１８は、図３ないし図５に示すように、薄板状の金属板を用いて、平板状でかつ開口部１５を閉塞し得るように略矩形の外輪郭をなすように形成され、ネジＢを通す円孔１８ａ、位置決め突起１１ｄ，１２ｄを嵌合させる円孔１８ｂ、掛止爪１３ａ，１２ｉに掛止される掛止片１８ｃ等を備えている。
そして、カバー１８は、図３に示すように、筐体１０の内部に収容する部品（ガイドシャフト２１，２２，２３、前側可動レンズ群３０、後側可動レンズ群４０、コイルスプリング５０等）の組み付けが完了した後に、開口部１５を覆うようにネジＢを用いて筐体１０に結合されるようになっている。
このように、筐体１０に対して着脱自在なカバー１８を設けたことにより、内部の確認及び必要に応じた分解作業を容易に行うことができる。また、カバー１８を平板状に形成したことにより、カバー１８に垂直な光軸方向Ｌ１（光軸Ｌ２に垂直な厚み方向）の薄型化を達成することができる。
【００２０】
押えカバー１９は、樹脂材料を用いて形成されており、図９及び図１０に示すように、筐体１０の一対の延出壁部１７に結合されかつ入射窓Ｓの一部を画定するように形成され、筐体１０の掛止爪１７ｂに掛止される４つの掛止片１９ａ、プリズム８０に当接させられる４つの当接部１９ｂ等を備えている。
掛止片１９ａは、弾性変形可能でかつ掛止爪１７ｂを嵌合させる開口部を画定するように形成されている。
そして、押えカバー１９は、図５及び図１３に示すように、プリズム８０を２つの延出壁部１７の間に挟み込むように挿入した後に、プリズム８０を位置決め部１７ｃに向けて押えつつ固定するように、掛止片１９ａを掛止爪１７ｂに掛止して筐体１０にスナップフィット結合されるようになっている。ここで、掛止片１９ａは、その弾性変形を利用して撓ませつつ掛止爪１７ｂに対してスナップフィット結合されるため、掛止片１９ａを外側に撓ませれば、押えカバー１９を筐体１０から容易に取り外すことができる。
【００２１】
このように、プリズム８０を組み付ける際には、プリズム８０を筐体１０の収容部（一対の延出壁部１７の間）に嵌め込み、その外側からプリズム８０を押えるようにして押えカバー１９を結合するだけで、容易に組み付けを行うことができ、構造の簡素化、小型化、組付け作業性を向上させることができる。また、押えカバー１９が弾性変形を利用したスナップフィット結合により筐体１０に組み付けられるため、ネジ等を用いて締結する場合に比べて、構造の簡素化、部品点数の削減等を達成しつつ、着脱作業を容易に行うことができる。
【００２２】
ガイドシャフト２１，２２及び回転止めガイドシャフト２３は、それぞれ円形断面をなし光軸方向Ｌに伸長するように形成され、それらの前端部が対応する嵌合孔１１ｂにそれぞれ嵌合され、それらの後端部が対応する嵌合孔１２ｂにそれぞれ嵌合されて、光軸方向Ｌに平行な状態で筐体１０に固定されている。
そして、ガイドシャフト２１は、後述する前側可動レンズ群３０の連結部３２を摺動自在に連結させて光軸方向Ｌ２にガイドするようになっている。
また、ガイドシャフト２２は、後述する後側可動レンズ群４０の連結部４２を摺動自在に連結させて光軸方向Ｌ２にガイドするようになっている。
さらに、回転止めガイドシャフト２３は、後述する前側可動レンズ群３０の連結部３３及び後側可動レンズ群４０の連結部４３を摺動自在に連結させて光軸Ｌ回りの回転を一緒に規制しつつ光軸方向Ｌ２にガイドするようになっている。
【００２３】
前側可動レンズ群３０は、図４、図５、図１１に示すように、一つのレンズＧを保持するレンズ枠３１、レンズ枠３１から延出してガイドシャフト２１に摺動自在に連結される嵌合孔を有する連結部３２、レンズ枠３１から延出して回転止めガイドシャフト２３に摺動自在に連結される略Ｕ字状の連結部３３、レンズ枠３１から延出して第１位置センサ１０１により検出され得る検出片３４、レンズ枠３１から延出して駆動機構９０の一部をなす第１ナット９１ｃに係合させられる略Ｕ字状の係合片３５、係合片３５の近傍に設けられてコイルスプリング５０の端部が掛止される掛止部３６等を備えている。
【００２４】
後側可動レンズ群４０は、図４、図５、図１２に示すように、３つのレンズＧを保持するレンズ枠４１、レンズ枠４１から延出してガイドシャフト２２に摺動自在に連結される嵌合孔を有する連結部４２、レンズ枠４１から延出して回転止めガイドシャフト２３に摺動自在に連結される略Ｕ字状の連結部４３、レンズ枠４１から延出して第２位置センサ１０２により検出され得る検出片４４、レンズ枠４１から延出して駆動機構９０の一部をなす第２ナット９２ｃに係合させられる略Ｕ字状の係合片４５、レンズ枠４１から延出してコイルスプリング５０の端部が掛止される掛止部４６等を備えている。
【００２５】
コイルスプリング５０は、図１２に示すように、その一端部が前側可動レンズ群３０の掛止部３６に掛止され、その他端部が後側可動レンズ群４０の掛止部４６に掛止されて、前側可動レンズ群３０と後側可動レンズ群４０とを光軸方向Ｌにおいて互いに近づけるように付勢力を及ぼすようになっている。
【００２６】
前側固定レンズ群６０は、図５及び図１１に示すように、レンズＧ単体からなり、筐体１０の前側環状固定部１１ａに対して、光軸方向Ｌ２の前方から挿入して固定されるように形成されている。
後側固定レンズ群７０は、図５及び図１１に示すように、レンズＧ単体からなり、筐体１０の後側環状固定部１２ａに対して、光軸方向Ｌ２の後方から挿入して固定されるように形成されている。
【００２７】
プリズム８０は、図４、図５、図１３に示すように、筐体１０において被写体から発せられた被写体光（入射光）を、９０度屈曲させて（光軸Ｌ１から光軸Ｌ２に屈曲させて）、筐体１０内に配置されたレンズ光学系（前側固定レンズ群６０、前側可動レンズ群３０、後側可動レンズ群４０、後側固定レンズ群７０）に導き、さらに筐体１０の後端部に配置される撮像素子に導くように形成されている。そして、プリズム８０は、２つの延出壁部１７の間に挟み込むように挿入されて、位置決め部１７ｃにより所定位置に位置決めされ、その外側から押えカバー１９を延出壁部１７に結合して押圧されることにより、筐体１０内に保持されるようになっている。
【００２８】
すなわち、このレンズ鏡胴における光学系は、図１３に示すように、光軸方向Ｌ（光軸Ｌ１，Ｌ２）の前方から後方に向けて順に配列された、プリズム８０と、レンズ光学系（前側固定レンズ群６０、前側可動レンズ群３０、後側可動レンズ群４０、後側固定レンズ群７０）により構成され、前側可動レンズ群３０及び後側可動レンズ群４０が駆動機構９０により適宜駆動されて光軸方向Ｌ２に相対的に移動して変倍動作（ズーミング）を行うと共に、前側レンズ群３０が合焦動作及び補正動作を行うようになっている。
【００２９】
駆動機構９０は、図４、図５、図１１、図１２、図１４に示すように、前側可動レンズ群３０を駆動する第１駆動機構９１、後側可動レンズ群４０を駆動する第２駆動機構９２、第１駆動機構９１及び第２駆動機構９２を一体的に連結して保持する保持プレート９３等を備えている。
第１駆動機構９１は、図１１に示すように、第１モータ９１ａ、第１モータ９１ａに直結された第１リードスクリュー９１ｂ、第１リードスクリュー９１ｂに螺合されると共に前側可動レンズ群３０の係合片３５に光軸方向Ｌ２の後側から係合する第１ナット９１ｃ、第１リードスクリュー９１ｂの先端に嵌合された第１軸受部材９１ｄ、第１モータ９１ａ及び第１軸受部材９１ｄを保持する第１保持プレート９１ｅ等を備えている。ここで、第１モータ９１ａとしてはステッピングモータ等が採用される。
第１保持プレート９１ｅは、コ字状に両端が屈曲して形成され、その主面においてネジＢを捩じ込むネジ孔９１ｅ´を有し、一端側で第１モータ９１ａを保持し、他端側で第１軸受部材９１ｄを保持するようになっている。
そして、第１駆動機構９１は、第１モータ９１ａの起動により第１リードスクリュー９１ｂが回転すると、第１ナット９１ｃが光軸方向Ｌ２に移動し、第１ナット９１ｃに追従する係合片３５を介して、前側可動レンズ群３０を光軸方向Ｌの所望の位置に移動させるようになっている。
【００３０】
第２駆動機構９２は、図１２に示すように、第２モータ９２ａ、第２モータ９２ａに直結された第２リードスクリュー９２ｂ、第２リードスクリュー９２ｂに螺合されると共に後側可動レンズ群４０の係合片４５に光軸方向Ｌ２の前側から係合する第２ナット９２ｃ、第２リードスクリュー９２ｂの先端に嵌合された第２軸受部材９２ｄ、第２モータ９２ａ及び第２軸受部材９２ｄを保持する第２保持プレート９２ｅ等を備えている。ここで、第２モータ９２ａとしてはステッピングモータ等が採用される。
第２保持プレート９２ｅは、第１保持プレート９１ｅと同一形状をなすようにコ字状に両端が屈曲して形成され、その主面においてネジＢを捩じ込むネジ孔９２ｅ´を有し、一端側で第２モータ９２ａを保持し、他端側で第２軸受部材９２ｄを保持するようになっている。
そして、第２駆動機構９２は、第２モータ９２ａの起動により第２リードスクリュー９２ｂが回転すると、第２ナット９２ｃが光軸方向Ｌ２に移動し、第２ナット９２ｃに追従する係合片４５を介して、後側可動レンズ群４０を光軸方向Ｌ２の所望の位置に移動させるようになっている。
【００３１】
保持プレート９３は、図１４に示すように、略矩形の平板状に形成されると共に２つの屈曲片を画定するように形成され、第１保持プレート９１ｅのネジ孔９１ｅ´に捩じ込むネジＢを通す円孔９３ａ、第２保持プレート９２ｅのネジ孔９２ｅ´に捩じ込むネジＢを通す円孔９３ｂ、筐体１０の延出壁部１７に形成されたネジ穴１７ａに捩じ込むネジＢを通す円孔９３ｃ、筐体１０の底壁１４に形成された位置決め突起１４ａが嵌合される円孔９３ｄ、円孔１４ｂを通されたネジＢが捩じ込まれるネジ孔９３ｅを画定している。
【００３２】
そして、第１駆動機構９１及び第２駆動機構９２は、図１４に示すように、第１モータ９１ａに直結されかつ第１ナット９１ｃを螺合させた第１リードスクリュー９１ｂと第２モータ９２ａに直結されかつ第２ナット９２ｃを螺合させた第２リードスクリュー９２ｂとを平行に配列させるように、第１保持プレート９１ｅと第２保持プレート９２ｅを隣接させ、ネジＢにより、一つの保持プレート９３に対して一体的に連結される。これにより、モジュール化された一つの駆動機構９０が形成される。
また、駆動機構９０は、図１４に示すように、円孔９３ｃを通したネジＢをネジ孔１７ａに捩じ込みかつ円孔１４ｂを通したネジＢをネジ孔９３ｅに捩じ込むことにより、その一部（第１保持プレート９１ｅ、第２保持プレート９２ｅ、及び保持プレート９３）により筐体１０の開口部１６を塞ぐように、着脱自在に取り付けられるようになっている。
このように、駆動機構９０を筐体１０の外側から近づけて開口部１６を覆うように組み付けることで、その組み付けが容易に行うことができ、又、一旦組み付けた後でも内部の点検又は修理等の際に容易に取り外すことができる。
尚、保持プレート９３と第１モータ９１ａ及び第２モータ９２ａの間に、エポキシ樹脂等の接着剤９４を充填することにより、隙間を完全に密閉でき、筐体１０内部へのゴミ等の侵入を防止することができる。
【００３３】
第１位置センサ１０１は、投光素子及び受光素子を備えた透過型の光センサであり、図３、図１１に示すように、筐体１０の側壁１３にて開口する凹部１１ｅに取り付けられている。そして、第１位置センサ１０１は、検出片３４が投光素子から受光素子に向う検出光を遮ることで、前側可動レンズ群３０の初期位置を検出するようになっている。
第２位置センサ１０２は、投光素子及び受光素子を備えた透過型の光センサであり、図３、図１１に示すように、筐体１０の側壁１３にて開口する凹部１２ｅに取り付けられている。そして、第２位置センサ１０２は、検出片４４が投光素子から受光素子に向う検出光を遮ることで、後側可動レンズ群４０の初期位置を検出するようになっている。
フレキシブル配線板１１０は、図２に示すように、駆動機構９０の第１モータ９１ａ及び第２モータ９２ａの接続端子、第１位置センサ１０１及び第２位置センサ１０２の接続端子にそれぞれ接続されるように、筐体１０の外側壁に沿って配設されている。
【００３４】
次に、このレンズ鏡胴Ｍの組み付けについて説明する。
組み付けに先立って、筐体１０、カバー１８、押えカバー１９、３つのガイドシャフト２１，２２，２３、前側可動レンズ群３０、後側可動レンズ群４０、コイルスプリング５０、前側固定レンズ群６０、後側固定レンズ群７０、プリズム８０、モジュール化された駆動機構９０、第１位置センサ１０１及び第２位置センサ１０２、フレキシブル配線板１１０等を準備する。
【００３５】
先ず、第１位置センサ１０１が筐体１０の凹部１１ｅに嵌め込まれ、第２位置センサ１０２が筐体１０の凹部１２ｅに嵌め込まれる。
そして、前側可動レンズ群３０及び後側可動レンズ群４０が開口部１５から筐体１０内に挿入されて所定位置に保持され、ガイドシャフト２１，２２及び回転止めガイドシャフト２３が、光軸方向Ｌ２の後方から筐体１０に近づけられて対応する嵌合孔１２ｂにそれぞれ挿入され、ガイドシャフト２１が前側可動レンズ群３０の連結部３２に挿入され、ガイドシャフト２２が後側可動レンズ群４０の連結部４２に挿入され、回転止めガイドシャフト２３が後側可動レンズ群４０の連結部４３に挿入されかつ前側可動レンズ群３０の連結部３３に挿入され、さらに、筐体１０の対応する嵌合孔１１ｂにそれぞれ挿入される。
【００３６】
これにより、ガイドシャフト２１，２２及び回転止めガイドシャフト２３は、それぞれの両端部が筐体１０の嵌合孔１１ｂ，１２ｂに嵌合されて固定された状態となり、光軸方向Ｌ２と平行に高精度に固定される。
また、前側可動レンズ群３０は、回転止めガイドシャフト２３により光軸Ｌ２回りの回転が規制されつつガイドシャフト２１により光軸方向Ｌ２に移動自在にガイドされる状態となり、後側可動レンズ群４０は、回転止めガイドシャフト２３により光軸Ｌ２回りの回転が規制されつつガイドシャフト２２により光軸方向Ｌ２に移動自在にガイドされる状態となる。このように、光軸方向Ｌ２にガイドする専用のガイドシャフト２１，２２と光軸Ｌ２回りの回転を規制する共通のガイドシャフト２３を採用することで、構造の簡素化、部品点数の削減が達成され、前側可動レンズ群３０及び後側可動レンズ群４０は光軸方向Ｌに高精度にガイドされ得る。
【００３７】
続いて、コイルスプリング５０が、前側可動レンズ群３０の掛止部３６と後側可動レンズ群４０の掛止部４６に掛止されて張設される。尚、コイルスプリング５０の組み付けは、この順番に限定されず、駆動機構９０が組み付けられた後に組み付けられてもよい。
続いて、前側固定レンズ群６０が、光軸方向Ｌ２の前方から筐体１０に近づけられて、前側環状固定部１１ａに挿入され適宜接着剤等を用いて固定される。
続いて、後側固定レンズ群７０が、光軸方向Ｌ２の後方から筐体１０に近づけられて、後側環状固定部１２ａに挿入され適宜接着剤等を用いて固定される。
尚、後側固定レンズ群７０が先に組み込まれ、続いて、前側固定レンズ群６０が組み込まれてもよい。
続いて、第１ナット９１ｃが係合片３５に光軸方向Ｌ２の後側から当接し、第２ナット９２ｃが係合片４５に光軸方向Ｌ２の前側から当接するようにして、モジュール化された駆動機構９０が、光軸方向Ｌ２に垂直な方向から筐体１０に近づけられて、開口部１６を塞ぐように筐体１０に組み付けられる。
【００３８】
そして、図１５に示すように、筐体１０は、プリズム８０が組み付けられる前の状態で、レンズ光学系の光軸方向Ｌ２前方に開口しており、このレンズ鏡胴が汎用の検査装置にセットされて、前側固定レンズ群６０、前側可動レンズ群３０、後側可動レンズ群４０、及び後側固定レンズ群７０からなるレンズ光学系の光学特性が検査される。
ここでは、プリズム８０を組み込む前の状態で光学検査を行うことができるため、専用の検査装置が不要になり、又、生産ライン等において専用の検査装置を設置するスペースが不要になり、設備及び管理費用等の低減等を達成することができる。
そして、光学特性の検査で合格すると、プリズム８０が筐体１０に嵌め込まれ、その外側から押えカバー１９が組み付けられる。尚、特性検査で不合格になると、適宜手直し工程に移行される。
続いて、カバー１９が開口部１５を塞ぐように筐体１０に組み付けられる。
【００３９】
最後に、フレキシブル配線板１１０が、筐体１０の外側壁に沿うように配設されて、第１モータ９１ａ及び第２モータ９２ａの接続端子、第１位置センサ１０１及び第２位置センサ１０２の接続端子にそれぞれ接続される。これにより、レンズ鏡胴が完成する。その後、必要に応じて、筐体１０の後方に位置する凹部１２ｈに撮像素子が嵌め込まれる。
【００４０】
次に、レンズ鏡胴の動作について、図１６を参照しつつ簡単に説明する。
先ず、被写体光は、プリズム８０に垂直な方向Ｌ１から進入し、プリズム８０により９０度光路が屈曲させられて光軸Ｌ２方向に進行し、直線上に並ぶレンズ光学系（前側固定レンズ群６０→前側可動レンズ群３０→後側可動レンズ群４０→後側固定レンズ群７０）を順次通過し、さらに後方に配置される撮像素子に入射するようになっている。
そして、休止状態においては、前側レンズ群３０は光軸方向Ｌ２の最も前方に停止し、後側可動レンズ群４０は光軸方向Ｌ２の最も後方に停止した状態にある。
そして、第１駆動機構９１により、前側可動レンズ群３０が光軸方向Ｌ２に駆動され、第２駆動機構９２により、後側可動レンズ群４０が光軸方向Ｌ２に駆動され、図１６（ａ）に示す広角端撮影位置から、図１６（ｂ）に示す中間撮影位置を経て、図１６（ｃ）に示す望遠端撮影位置に至るようになっている。
上記構成をなすレンズ鏡胴Ｍによれば、構造の簡素化、部品の集約化による小型化、組付け作業性の向上、組付け精度の向上、レンズの光軸合わせの高精度化、設備及び管理費用等の低減等を達成しつつ、汎用の検査装置でレンズ光学系の光学特性を検査でき、携帯電話機Ｐ等に搭載されるのに適した小型化で薄型化のレンズ鏡胴が得られる。
【００４１】
上記実施形態においては、プリズム８０を筐体１０に対して着脱自在に収容する構成として、一対の延出壁部１７と着脱自在な押えカバー１９を採用した場合を示したが、これに限定されるものではなく、レンズ光学系を筐体に組み付けた後に光学特性の検査を行うことができ、その後にプリズムを組み付け又は取り外しできるものであれば、その他の構成を採用してもよい。
上記実施形態においては、複数の可動レンズ群として二つの可動レンズ群３０，４０と、駆動機構として二つの駆動機構９１，９２（第１モータ９１ａ，第２モータ９２ａ）、位置センサとして二つの位置センサ１０１，１０２を備えた場合を示したが、これに限定されるものではなく、３つ以上の可動レンズ群及び駆動機構並びに位置センサを含む構成において、本発明を適用してもよい。
上記実施形態においては、前側固定レンズ群６０及び後側固定レンズ群７０を含むレンズ光学系において、本発明を適用した場合を示したが、これに限定されるものではなく、固定レンズ群が無い可動レンズ群だけのレンズ光学系において本発明を適用してもよい。
【産業上の利用可能性】
【００４２】
以上述べたように、本発明のレンズ鏡胴は、構造の簡素化、部品の集約化による小型化、組付け作業性の向上、組付け精度の向上、レンズの光軸合わせの高精度化、設備及び管理費用等の低減等を達成することができるため、小型化で薄型化が要求される携帯電話機等に搭載されるデジタルカメラ等に適用できるのは勿論のこと、携帯電話機に限らず、その他の携帯情報端末機又はデジタルカメラ、あるいは、設置型のデジタルカメラ等のレンズ鏡胴としても有用である。
【図面の簡単な説明】
【００４３】
【図１】本発明に係るレンズ鏡胴を携帯電話機に搭載した状態を示す斜視図である。
【図２】本発明に係るレンズ鏡胴の一実施形態を示す斜視図である。
【図３】レンズ鏡胴において、カバーを筐体から外した状態を示す斜視図である。
【図４】レンズ鏡胴において、カバー及び駆動機構を筐体から外した状態を示す斜視図である。
【図５】レンズ鏡胴の分解斜視図である。
【図６】レンズ鏡胴の一部をなす筐体を示す斜視図である。
【図７】レンズ鏡胴の一部をなす筐体を示す斜視図である。
【図８】レンズ鏡胴の一部をなす筐体を示す端面図である。
【図９】レンズ鏡胴の一部なす押えカバーを示す斜視図である。
【図１０】レンズ鏡胴の一部なす押えカバーを示す正面図である。
【図１１】レンズ鏡胴の内部を示す断面図である。
【図１２】レンズ鏡胴の内部を示す平面図である。
【図１３】レンズ鏡胴の光軸Ｌを含む面での断面図である。
【図１４】レンズ鏡胴において、駆動機構を筐体から外した状態を示す斜視図である。
【図１５】レンズ鏡胴において、プリズム及びカバーが組み付けられる前の状態を示す斜視図である。
【図１６】レンズ鏡胴に含まれる可動レンズ群の動作を説明するものであり、（ａ）は広角端撮影位置にある状態を示す断面図、（ｂ）は中間撮影位置にある状態を示す断面図、（ｃ）は望遠端撮影位置にある状態を示す断面図である。
【符号の説明】
【００４４】
Ｐ  携帯電話機
Ｐ１  蓋体
Ｍ  レンズ鏡胴
Ｌ  光軸方向
Ｌ１  入射光の光軸
Ｌ２  レンズ光学系の光軸
Ｓ  入射窓
１０  筐体
１１  前壁
１１ａ  前側環状固定部
１１ｂ  嵌合孔
１１ｃ  ネジ穴
１１ｄ  位置決め突起
１１ｅ，１１ｆ  凹部
１２  後壁
１２ａ  後側環状固定部
１２ｂ  嵌合孔
１２ｃ  ネジ穴
１２ｄ  位置決め突起
１２ｅ，１２ｆ  凹部
１２ｇ  フランジ部
１２ｈ  凹部
１２ｉ，１３ａ  掛止爪
１３  側壁
１４  底壁
１４ａ  位置決め突起
１４ｂ  円孔
１５，１６  開口部
１７  一対の延出壁部（収容部）
１７ａ  ネジ穴
１７ｂ  掛止爪
１７ｃ  位置決め部
１８  カバー
１８ａ，１８ｂ  円孔
１８ｃ  掛止片
１９  押えカバー
１９ａ  掛止片
１９ｂ  当接部
２１，２２  ガイドシャフト
２３  回転止めガイドシャフト
３０  前側可動レンズ群
３１  レンズ枠
Ｇ  レンズ
３２，３３  連結部
３４  検出片
３５  係合片
３６  掛止部
４０  後側可動レンズ群
４１  レンズ枠
Ｇ  レンズ
４２，４３  連結部
４４  検出片
４５  係合片
４６  掛止部
５０  コイルスプリング
６０  前側固定レンズ群
Ｇ  レンズ
７０  後側固定レンズ群
Ｇ  レンズ
８０  プリズム
９０  駆動機構
９１  第１駆動機構
９１ａ  第１モータ
９１ｂ  第１リードスクリュー
９１ｃ  第１ナット
９１ｄ  第１軸受部材
９１ｅ  第１保持プレート
９１ｅ´  ネジ孔
９２  第２駆動機構
９２ａ  第２モータ
９２ｂ  第２リードスクリュー
９２ｃ  第２ナット
９２ｄ  第２軸受部材
９２ｅ  第２保持プレート
９２ｅ´  ネジ孔
９３  保持プレート
９３ａ，９３ｂ，９３ｃ，９３ｄ  円孔
９３ｅ  ネジ孔
９４  接着剤
１０１  第１位置センサ
１０２  第２位置センサ
１１０  フレキシブル配線板
【図１】
2010020192.tif 000003
【図２】
2010020192.tif 000004
【図３】
2010020192.tif 000005
【図４】
2010020192.tif 000006
【図５】
2010020192.tif 000007
【図６】
2010020192.tif 000008
【図７】
2010020192.tif 000009
【図８】
2010020192.tif 000010
【図９】
2010020192.tif 000011
【図１０】
2010020192.tif 000012
【図１１】
2010020192.tif 000013
【図１２】
2010020192.tif 000014
【図１３】
2010020192.tif 000015
【図１４】
2010020192.tif 000016
【図１５】
2010020192.tif 000017
【図１６】
2010020192.tif 000018